(57)【要約】【課題】より正確にホワイトバランスを調整できるようにする。【解決手段】  明るさ検出部１９は、ホワイトバランス調整用増幅器１７が出力したＲ，Ｇ，Ｂ信号から輝度値Ｙを明るさとして検出する。露光量設定部２０は、この輝度値Ｙに基づいて、アイリス１２の開口１２Ａの径Ｄを制御する制御信号ｄを生成し、駆動部２１に供給する。ホワイトバランス補正量設定部２２は、アイリスの径を制御する制御信号ｄに基づいて、補正ゲインkg(d) を生成する。ホワイトバランスアンプゲイン設定部２３は、AGC用増幅器１６より出力されたＲ，Ｇ，Ｂ信号を補正ゲインkg(d) に基づいて補正し、ホワイトバランス調整用増幅器１７のゲインを調整する。Ｇ信号の増幅器１７Ｇは、補正ゲインそのものにより制御される。本発明は、デジタルビデオカメラ、デジタルスチルカメラ、その他の撮像装置に適用することが可能である。【選択図】図１
2006319913.tif 000002
【特許請求の範囲】
【請求項１】
被写体を撮像し、撮像したカラーの画像に対応する赤、緑、および青の３原色の色信号を出力する撮像手段と、
前記撮像手段に入射する光の量を調整するアイリスの径を制御するアイリス制御手段と、
前記３原色の色信号にそれぞれ独立のゲインをかけて調整することでホワイトバランスを調整するホワイトバランス調整手段と、
前記アイリスの径が大きくなるに従って、前記３原色の色信号のうち緑の色信号のレベルを増加させる補正ゲインを演算する補正ゲイン演算手段とを備え、
前記ホワイトバランス調整手段は、前記補正ゲイン演算手段が決定した補正ゲインによって前記緑の色信号に対するゲインを制御することで、前記３原色の色信号を調整する
撮像装置。
【請求項２】
前記補正ゲインに基づいて前記緑の色信号を補正した補正値を演算する補正値演算手段と、
前記補正値と前記３原色のうちの赤の色信号と青の色信号とから一意に算出可能な色空間の基準座標に変換する色空間変換手段をさらに備え、
前記ホワイトバランス調整手段は、前記色空間における基準座標からホワイトバランス目標座標を決定し、前記ホワイトバランス目標座標から一意に算出可能な変換により前記赤の色信号と前記青の色信号に対するそれぞれのゲインを決定することで、前記３原色の色信号を調整する
請求項１に記載の撮像装置。
【請求項３】
前記３原色の緑の色信号、赤の色信号、および青の色信号のレベルを、同一の制御信号に基づいて制御するレベル制御手段と、
前記制御信号を前記補正ゲインで補正して、前記レベル制御手段に供給する補正手段と
をさらに備える請求項１に記載の撮像装置。
【請求項４】
被写体を撮像し、撮像したカラーの画像に対応する赤、緑、および青の３原色の色信号を出力する撮像部を備える撮像装置の撮像方法において、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを増加させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
撮像方法。
【請求項５】
被写体を撮像し、撮像したカラーの画像に対応する赤、緑、および青の３原色の色信号を出力する撮像部を備える撮像装置のプログラムにおいて、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを増加させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
コンピュータが読み取り可能なプログラムが記録されている記録媒体。
【請求項６】
被写体を撮像し、撮像したカラーの画像に対応する赤、緑、および青の３原色の色信号を出力する撮像部を備える撮像装置のプログラムにおいて、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを増加させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
コンピュータに実行させるプログラム。
【請求項７】
被写体を撮像し、撮像したカラーの画像に対応する赤、緑、および青の３原色の色信号を出力する撮像手段と、
前記撮像手段に入射する光の量を調整するアイリスの径を制御するアイリス制御手段と、
前記３原色の色信号にそれぞれ独立のゲインをかけて調整することでホワイトバランスを調整するホワイトバランス調整手段と、
前記アイリスの径が大きくなるに従って、前記３原色の色信号のうち緑の色信号のレベルを減少させる補正ゲインを演算する補正ゲイン演算手段とを備え、
前記ホワイトバランス調整手段は、前記補正ゲイン演算手段が決定した補正ゲインによって前記緑の色信号に対するゲインを制御することで、前記３原色の色信号を調整する
撮像装置。
【請求項８】
前記補正ゲインに基づいて前記緑の色信号を補正した補正値を演算する補正値演算手段と、
前記補正値と前記３原色のうちの赤の色信号と青の色信号とから一意に算出可能な色空間の基準座標に変換する色空間変換手段をさらに備え、
前記ホワイトバランス調整手段は、前記色空間における基準座標からホワイトバランス目標座標を決定し、前記ホワイトバランス目標座標から一意に算出可能な変換により前記赤の色信号と前記青の色信号に対するそれぞれのゲインを決定することで、前記３原色の色信号を調整する
請求項７に記載の撮像装置。
【請求項９】
前記３原色の緑の色信号、赤の色信号、および青の色信号のレベルを、同一の制御信号に基づいて制御するレベル制御手段と、
前記制御信号を前記補正ゲインで補正して、前記レベル制御手段に供給する補正手段と
をさらに備える請求項７に記載の撮像装置。
【請求項１０】
被写体を撮像し、撮像したカラーの画像に対応する赤、緑、および青の３原色の色信号を出力する撮像部を備える撮像装置の撮像方法において、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを減少させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
撮像方法。
【請求項１１】
被写体を撮像し、撮像したカラーの画像に対応する赤、緑、および青の３原色の色信号を出力する撮像部を備える撮像装置のプログラムにおいて、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを減少させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
コンピュータが読み取り可能なプログラムが記録されている記録媒体。
【請求項１２】
被写体を撮像し、撮像したカラーの画像に対応する赤、緑、および青の３原色の色信号を出力する撮像部を備える撮像装置のプログラムにおいて、
前記撮像部に入射する光の量を調整するアイリスの径を制御するアイリス制御ステップと、
前記３原色の色信号にそれぞれ独立のゲインをかけて調整することでホワイトバランスを調整するホワイトバランス調整ステップと、
前記アイリスの径が大きくなるに従って、前記３原色の色信号のうち緑の色信号のレベルを減少させる補正ゲインを演算する補正ゲイン演算ステップとを備え、
前記ホワイトバランス調整ステップでは、前記補正ゲイン演算ステップの処理で決定された補正ゲインによって前記緑の色信号に対するゲインを制御することで前記３原色の色信号を調整する
コンピュータに実行させるプログラム。
【発明の詳細な説明】
【技術分野】
【０００１】
本発明は、撮像装置および方法、記録媒体、並びにプログラムに関し、特により正確にホワイトバランスを調整することができるようにした撮像装置および方法、記録媒体、並びにプログラムに関する。
【背景技術】
【０００２】
CMOS（Complementary Metal Oxide Semiconductor）などの固体撮像素子を撮像素子として使用したビデオカメラやデジタルスチルカメラは、被写体の白色を撮像した撮像結果からその白色を無彩色の白色として映し出すために、光源の色温度の変化に応じて白色を黒体放射カーブに沿って移動させることで、色が付いて見える白色を無彩色の白に合わせるオートホワイトバランス処理機能を備えている。実際には、撮像素子で撮像された映像の３原色（Ｒ，Ｇ，Ｂ）の信号強度を電子的に増幅、減衰させ、各色の信号バランスを変化させて、映像の色温度を補正してホワイトバランスを調整する方法が採用されている。
【０００３】
ホワイトバランス調整に関する技術としては、例えば特許文献１が知られている。
【特許文献１】特開２００２−２８１５１２号公報
【発明の開示】
【発明が解決しようとする課題】
【０００４】
ところで、固体撮像素子の前には、オンチップマイクロレンズやカラーフィルタが配置されている。オンチップマイクロレンズは、画素毎に光を集光するレンズである。カラーフィルタは、画素毎にＲ（赤）、Ｇ（緑）、Ｂ（青）の３原色の光を抽出し、透過するフィルタである。
【０００５】
これらのオンチップマイクロレンズやカラーフィルタなどのうちの少なくとも一方の光学的収差に基づきアイリスの開口径が変化すると、ホワイトバランスが変化する問題があった。その結果、アイリスの開口径によっては、ホワイトバランスを正確に調整することができない問題があった。
【０００６】
本発明はこのような状況に鑑みてなされたものであり、アイリスの開口径に関わらず、正確にホワイトバランスを調整することができるようにするものである。
【課題を解決するための手段】
【０００７】
本発明の一側面の撮像装置は、被写体を撮像し、撮像したカラーの画像に対応する赤、緑、および青の３原色の色信号を出力する撮像手段と、撮像手段に入射する光の量を調整するアイリスの径を制御するアイリス制御手段と、３原色の色信号にそれぞれ独立のゲインをかけて調整することでホワイトバランスを調整するホワイトバランス調整手段と、アイリスの径が大きくなるに従って、３原色の色信号のうち緑の色信号のレベルを増加させる補正ゲインを演算する補正ゲイン演算手段とを備え、ホワイトバランス調整手段は、補正ゲイン演算手段が決定した補正ゲインによって緑の色信号に対するゲインを制御することで、３原色の色信号を調整する。
【０００８】
補正ゲインに基づいて緑の色信号を補正した補正値を演算する補正値演算手段と、補正値と前記３原色のうちの赤の色信号と青の色信号とから一意に算出可能な色空間の基準座標に変換する色空間変換手段をさらに備え、ホワイトバランス調整手段は、色空間における基準座標からホワイトバランス目標座標を決定し、ホワイトバランス目標座標から一意に算出可能な変換により赤の色信号と青の色信号に対するそれぞれのゲインを決定することで、３原色の色信号を調整することができる。
【０００９】
３原色の緑の色信号、赤の色信号、および青の色信号のレベルを、同一の制御信号に基づいて制御するレベル制御手段と、制御信号を補正ゲインで補正して、レベル制御手段に供給する補正手段とをさらに備えることができる。
【００１０】
本発明の一側面の撮像方法またはプログラムは、被写体を撮像し、撮像したカラーの画像に対応する赤、緑、および青の３原色の色信号を出力する撮像部を備える撮像装置の撮像方法またはプログラムにおいて、撮像部に入射する光の量を調整するアイリスの径を制御するアイリス制御ステップと、３原色の色信号にそれぞれ独立のゲインをかけて調整することでホワイトバランスを調整するホワイトバランス調整ステップと、アイリスの径が大きくなるに従って、３原色の色信号のうち緑の色信号のレベルを増加させる補正ゲインを演算する補正ゲイン演算ステップとを備え、ホワイトバランス調整ステップでは、補正ゲイン演算ステップの処理で決定された補正ゲインによって前記緑の色信号に対するゲインを制御することで前記３原色の色信号を調整する。
【００１１】
本発明の一側面においては、アイリスの径が大きくなるに従って、３原色の色信号のうち緑の色信号のレベルが増加される。
【００１２】
本発明の他の側面の撮像装置は、被写体を撮像し、撮像したカラーの画像に対応する赤、緑、および青の３原色の色信号を出力する撮像手段と、撮像手段に入射する光の量を調整するアイリスの径を制御するアイリス制御手段と、３原色の色信号にそれぞれ独立のゲインをかけて調整することでホワイトバランスを調整するホワイトバランス調整手段と、アイリスの径が大きくなるに従って、３原色の色信号のうち緑の色信号のレベルを減少させる補正ゲインを演算する補正ゲイン演算手段とを備え、ホワイトバランス調整手段は、補正ゲイン演算手段が決定した補正ゲインによって緑の色信号に対するゲインを制御することで、３原色の色信号を調整する。
【００１３】
本発明の他の側面の撮像方法またはプログラムは、被写体を撮像し、撮像したカラーの画像に対応する赤、緑、および青の３原色の色信号を出力する撮像部を備える撮像装置の撮像方法またはプログラムにおいて、撮像部に入射する光の量を調整するアイリスの径を制御するアイリス制御ステップと、３原色の色信号にそれぞれ独立のゲインをかけて調整することでホワイトバランスを調整するホワイトバランス調整ステップと、アイリスの径が大きくなるに従って、３原色の色信号のうち緑の色信号のレベルを減少させる補正ゲインを演算する補正ゲイン演算ステップとを備え、ホワイトバランス調整ステップでは、補正ゲイン演算ステップの処理で決定された補正ゲインによって前記緑の色信号に対するゲインを制御することで前記３原色の色信号を調整する。
【００１４】
本発明の他の側面においては、アイリスの径が大きくなるに従って、３原色の色信号のうち緑の色信号のレベルが減少される。
【発明の効果】
【００１５】
本発明の側面によれば、ホワイトバランスを調整することができる。特に、本発明の側面によれば、アイリスの開口径に関わらずホワイトバランスを正確に調整することができる。
【発明を実施するための最良の形態】
【００１６】
以下に本発明を実施するための最良の形態を説明するが、開示される本発明と実施形態との対応関係を例示すると、次のようになる。明細書中には記載されているが、本発明に対応するものとして、ここには記載されていない実施形態があったとしても、そのことは、その実施形態が、本発明に対応するものではないことを意味するものではない。
【００１７】
本発明の一側面の撮像装置（例えば、図１のデジタルビデオカメラ1）は、被写体を撮像し、撮像したカラーの画像に対応する赤、緑、および青の３原色の色信号を出力する撮像手段（例えば、図１の撮像部13）と、撮像手段に入射する光の量を調整するアイリスの径（例えば、図１のアイリス12の開口12A の径）を制御するアイリス制御手段（例えば、図１の駆動部21）と、３原色の色信号にそれぞれ独立のゲインをかけて調整することでホワイトバランスを調整するホワイトバランス調整手段（例えば、図１のホワイトバランスアンプゲイン設定部23）と、アイリスの径が大きくなるに従って、３原色の色信号のうち緑の色信号のレベルを増加させる補正ゲインを演算する補正ゲイン演算手段（例えば、図３の決定部７２）とを備え、ホワイトバランス調整手段は、補正ゲイン演算手段が決定した補正ゲインによって前記緑の色信号に対するゲインを制御することで、３原色の色信号を調整する。
【００１８】
補正ゲインに基づいて緑の色信号を補正した補正値を演算する補正値演算手段（例えば、図９のステップS71の処理を実行する図４の演算部91）と、補正値と３原色のうちの赤の色信号と青の色信号とから一意に算出可能な色空間の基準座標（例えば、図１０のRratio,Bratio）に変換する色空間変換手段（例えば、図９のステップS72の処理を実行する図４の演算部91）をさらに備え、ホワイトバランス調整手段は、色空間における基準座標からホワイトバランス目標座標（例えば、図１０のRratioA,BratioA）を決定し、ホワイトバランス目標座標から一意に算出可能な変換により赤の色信号と青の色信号に対するそれぞれのゲインを決定することで、３原色の色信号を調整することができる。
【００１９】
３原色の緑の色信号、赤の色信号、および青の色信号のレベルを、同一の制御信号に基づいて制御するレベル制御手段（例えば、図１１のAGC用増幅器16）と、制御信号を補正ゲインで補正して、レベル制御手段に供給する補正手段（例えば、図１１のAGCゲイン補正部111）とをさらに備えることができる。
【００２０】
本発明の一側面の、被写体を撮像し、撮像したカラーの画像に対応する赤、緑、および青の３原色の色信号を出力する撮像部（例えば、図１の撮像部13）を備える撮像装置（例えば、図１のデジタルビデオカメラ1）の撮像方法は、撮像部に入射する光の量を調整するアイリスの径を制御するアイリス制御ステップ（例えば、図５のステップS3）と、３原色の色信号にそれぞれ独立のゲインをかけて調整することでホワイトバランスを調整するホワイトバランス調整ステップ（例えば、図５のステップS4）と、アイリスの径が大きくなるに従って、３原色の色信号のうち緑の色信号のレベルを増加させる補正ゲインを演算する補正ゲイン演算ステップ（例えば、図７のステップS45）とを備え、ホワイトバランス調整ステップでは、補正ゲイン演算ステップの処理で決定された補正ゲインによって緑の色信号に対するゲインを制御することで３原色の色信号を調整する。
【００２１】
図１は、本発明を適用したデジタルビデオカメラの実施形態の構成を表している。このデジタルビデオカメラ１は、被写体からの光を撮像部１３に集光する。アイリス１２は開口１２Ａを有し、その開口１２Ａの径Ｄを変化させることで、レンズ１１から撮像部１３に入射する光の光量を制御する。
【００２２】
撮像部１３は、オンチップレンズ１３Ａ、カラーフィルタ１３Ｂ、および撮像素子１３Ｃにより構成されている。オンチップレンズ１３Ａは、被写体からの光を画素毎に集光する。カラーフィルタ１３Ｂは、被写体からの光のうちＲ（赤）、Ｇ（緑）、Ｂ（青）の３原色の光の成分をそれぞれ抽出し、撮像素子１３Ｃに入射する。撮像素子１３Ｃは、CMOS、またはCCD（Charge-Coupled Device）等の固体撮像素子で構成される。
【００２３】
撮像素子１３Ｃより出力されたＲ信号、Ｇ信号、およびＢ信号の各色信号は、それぞれサンプルホールド部１４によりサンプルホールドされた後、さらにＡ／Ｄ（Analog／Digital）コンバータ１５に入力され、アナログ信号からデジタル信号に変換される。AGC（Auto Gain Contorol）用増幅器１６は、Ｒ信号、Ｇ信号、およびＢ信号をそれぞれ増幅する増幅器１６Ｒ，１６Ｇ，１６Ｂにより構成されている。これらの増幅器１６Ｒ，１６Ｇ，１６Ｂは、それぞれ対応するＲ信号、Ｇ信号、またはＢ信号を、同一の制御信号に基づいて所定のレベルに増幅して出力する。
【００２４】
ホワイトバランス調整用増幅器１７は、それぞれＲ信号、Ｇ信号、またはＢ信号を増幅する増幅器１７Ｒ，１７Ｇ，１７Ｂで構成される。それぞれの増幅器１７Ｒ，１７Ｇ，１７Ｂは、Ｒ信号、Ｇ信号、またはＢ信号を増幅し、出力する。記録部１８は、内蔵する図示せぬ内部メモリにホワイトバランス調整用増幅器１７より供給された信号を記録する。
【００２５】
この内部メモリは、例えばメモリスティック（登録商標）などの半導体メモリにより構成することができる。
【００２６】
明るさ検出部１９は、撮像素子１３Ｃが出力する色信号から画像の明るさを検出する。具体的には、ホワイトバランス調整用増幅器１７より出力されたＲ信号、Ｇ信号、およびＢ信号から輝度値Ｙを演算することで、画像の明るさが検出される。明るさ検出部１９より出力された輝度値Ｙは、露光量設定部２０に供給される。露光量設定部２０は、明るさ検出部１９より供給された輝度値Ｙに基づいて、アイリス１２の開口１２Ａの径Ｄを制御する制御信号ｄを生成し、駆動部２１に出力する。駆動部２１は、露光量設定部２０より供給された制御信号ｄに基づいて、アイリス１２の開口１２Ａの径Ｄを制御する。すなわち、径Ｄは制御信号ｄの値に応じて一義的に決定される。
【００２７】
露光量設定部２０より出力されたアイリス１２の開口１２Ａの径を制御する制御信号ｄは、ホワイトバランス補正量設定部２２にも供給される。ホワイトバランス補正量設定部２２は、この制御信号ｄに基づいて、ホワイトバランス調整用増幅器としての増幅器１７Ｇのゲインを制御するための補正ゲインkg(d) を決定する。
【００２８】
ホワイトバランスアンプゲイン設定部２３は、ホワイトバランス補正量設定部２２より供給された補正ゲインkg(d) に基づいて、Ｇ信号用の増幅器１７ＧのゲインＧampg を演算し、増幅器１７Ｇのゲインを制御する。また、ホワイトバランスアンプゲイン設定部２３は、ホワイトバランス補正量設定部２２より供給された補正ゲインkg(d) 、並びにAGC用増幅器１６としての増幅器１６Ｒ，１６Ｇ，１６Ｂより供給された色信号に基づいて、増幅器１７Ｒ，１７ＢのゲインＲampg ，Ｂampg を演算し、増幅器１７Ｒ，１７Ｂのゲインを制御する。
【００２９】
ただし、制御信号Ｒampg ，Ｂampg は、撮像シーンの主には光源の色に対してホワイトバランスを調整するための信号であるが、制御信号Ｇampg は、撮像シーンとは関係なく、径Ｄによる撮像部の感度変化に起因するホワイトバランスのバラツキを抑制するための信号である。
【００３０】
露光量設定部２０はまた、明るさ検出部１９より供給された輝度値Ｙに基づいて、AGC用増幅器１６の増幅器１６Ｒ，１６Ｇ，１６Ｂのゲインを制御するAGCゲインを演算し、その演算値に基づいて、これらの増幅器１６Ｒ，１６Ｇ，１６Ｂのゲインを制御する。
【００３１】
入力部２４は、各種のスイッチ、ボタンなどにより構成され、ユーザはこの入力部２４を操作することで各種の指令を入力する。制御部２５は、入力部２４からの入力に基づいて各部を制御する。
【００３２】
表示部２６は例えばLCD（Liquid Crystal Display）などにより構成され、ホワイトバランス調整用増幅器１７より出力されたＲ信号、Ｇ信号、およびＢ信号に基づいて被写体の画像を表示する。これによりユーザは、撮像素子１３Ｃにより実際に撮像されている時々刻々と変換する被写体の画像を常にモニターし、所望のタイミングで被写体の画像を記録部１８により記録することができる。
【００３３】
露光量設定部２０は、図２に示されるような機能的構成を有している。すなわち、露光量設定部２０は、判定部５１、演算部５２、ゲイン設定部５３、並びに開口径設定部５４により構成されている。なお、各部は必要に応じて相互に信号を授受することが可能とされている。このことは、他の機能的構成においても同様である。
【００３４】
判定部５１は各種の判定を行う。演算部５２はAGCゲイン、アイリスの開口径を制御する制御信号などを演算する。ゲイン設定部５３は、AGC用増幅器１６の増幅器１６Ｒ，１６Ｇ，１６ＢのAGCゲインを設定する。開口径設定部５４は、アイリス１２の開口１２Ａの径を設定する。
【００３５】
ホワイトバランス補正量設定部２２は、図３に示されるように、各種の判定を行う判定部７１と、補正ゲインkg(d) を決定する決定部７２とにより構成されている。
【００３６】
ホワイトバランスアンプゲイン設定部２３は、図４に示されるような機能的構成を有している。すなわち、ホワイトバランスアンプゲイン設定部２３は、演算部９１、および設定部９２により構成されている。
【００３７】
演算部９１は各種の演算を実行する。設定部９２は、ホワイトバランス調整用増幅器１７を構成する増幅器１７Ｒ，１７Ｇ，１７Ｂのゲインを設定する。
【００３８】
次に、図５のフローチャートを参照して、図１のデジタルビデオカメラ１の撮像処理について説明する。
【００３９】
ステップＳ１において、撮像部１３は被写体を撮像する。すなわち、入力部２４が操作され、被写体の撮像の指令がユーザより入力されると、制御部２５は撮像部１３を制御し、撮像を開始させる。これにより、被写体からの光がレンズ１１により集光され、アイリス１２の開口１２Ａにより所定の光量に制御され、さらにオンチップレンズ１３Ａとカラーフィルタ１３Ｂを介して、撮像素子１３Ｃ上に結像される。これにより、被写体のカラー画像が撮像素子１３Ｃにより撮像される。
【００４０】
撮像素子１３Ｃより出力されたＲ信号、Ｇ信号、およびＢ信号は、サンプルホールド部１４によりサンプルホールドされた後、Ａ／Ｄコンバータ１５に入力され、アナログ信号からデジタル信号に変換される。Ａ／Ｄコンバーター１５より出力されたＲ信号、Ｇ信号、およびＢ信号は、それぞれ増幅器１６Ｒ，１６Ｇ，１６Ｂにより増幅され、さらにホワイトバランス調整用増幅器１７Ｒ，１７Ｇ，１７Ｂにより増幅され、出力される。
【００４１】
ステップＳ２において、明るさ検出部１９は、ホワイトバランス調整用増幅器１７が出力する信号から明るさを検出する。具体的には、明るさ検出部１９は、増幅器１７Ｒ，１７Ｇ，１７Ｂが出力するＲ信号、Ｇ信号、およびＢ信号に基づいて、次式に従って輝度値Ｙを演算し、一定の画素エリアについて加算平均した結果を取得する。
【００４２】
Ｙ＝0.2126 ×Ｒ ＋0.7152 ×Ｇ ＋0.0722 ×Ｂ          …（１）
【００４３】
次に、ステップＳ３において、露光量設定部２０は露光量設定処理を行う。その詳細については図６のフローチャートを参照して後述するが、これによりアイリス１２の開口１２Ａの径Ｄを制御する制御信号が生成されるとともに、AGC用増幅器１６のAGCゲインが演算される。そして、駆動部２１によりアイリス１２の開口１２Ａの径Ｄが、露光量設定部２０により生成された制御信号ｄに基づき所定の値に設定される。また、AGC用増幅器１６を構成する増幅器１６Ｒ，１６Ｇ，１６Ｂのゲインが同一の制御信号に基づいて所定の値に設定される。
【００４４】
ステップＳ４において、ホワイトバランス補正量設定部２２は、ホワイトバランス補正量設定処理を実行する。その処理の詳細は図７のフローチャートを参照して後述するが、これにより、補正ゲインkg(d) が決定される。この補正ゲインkg(d) は、ホワイトバランスアンプゲイン設定部２３に供給される。
【００４５】
ステップＳ５において、ホワイトバランスアンプゲイン設定部２３は、ホワイトバランスアンプゲイン設定処理を実行する。その処理の詳細は図９のフローチャートを参照して後述するが、これにより、ホワイトバランス調整用増幅器１７を構成する増幅器１７ＲのゲインＲampg 、増幅器１７ＧのゲインＧampg 、並びに増幅器１７ＢのゲインＢampg が演算され、増幅器１７Ｒ，１７Ｇ，１７Ｂのゲインが制御される。
【００４６】
ステップＳ６において、表示部２６は増幅器１７Ｒ，１７Ｇ，１７Ｂより出力されたＲ信号、Ｇ信号およびＢ信号に基づいて、被写体の画像を表示する。ユーザはこの表示から、明るさとホワイトバランスが調整された状態の被写体の画像を常に確認することができる。そして、ユーザは必要に応じて所望のタイミングで、入力部２４を構成する録画ボタン（図示せず）を操作することで被写体の画像の記録を指示する。
【００４７】
このように、ホワイトバランス調整用増幅器１７より出力された色信号に基づいて、表示部２６により画像を表示することで、明るさとホワイトバランスが実際に調整された状態の被写体の画像（記録部１８に実際に記録される画像）を常に確認することができるが、明るさとホワイトバランスが結果的に調整されればよく、調整された状態の被写体の画像を必ずしも確認する必要がない場合には、表示部２６は、撮像素子１３Ｃの出力信号に基づく画像を表示できればよいので、例えば、Ａ／Ｄコンバータ１５がAGC用増幅器１６に向けて出力する色信号の入力を受けて画像を表示するようにしてもよい。
【００４８】
ステップＳ７において、制御部２５は入力部２４から記録が指示されたかを判定する。記録が指示されたと判定された場合、ステップＳ８において、制御部２５は記録部１８を制御し、記録する処理を実行する。すなわち、これによりホワイトバランス調整用増幅器１７より出力されたＲ信号、Ｇ信号、およびＢ信号が記録部１８により記録される。ステップＳ７において、記録が指示されていないと判定された場合、ステップＳ８の記録処理はスキップされる。
【００４９】
ステップＳ９において、制御部２５はユーザより終了が指示されたかを判定する。終了がまだ指示されていないと判定された場合、処理はステップＳ１に戻り、それ以降の処理が繰り返し実行される。ステップＳ９において、終了が指示されたと判定された場合、制御部２５は撮像処理を終了させる。
【００５０】
次に、図６のフローチャートを参照して、露光量設定部２０が実行する図５のステップＳ３の露光量設定処理の詳細について説明する。
【００５１】
ステップＳ２１において、判定部５１は明るさが閾値ＹＬ以下かを判定する。すなわち、明るさ検出部１９により式（１）に基づいて演算された明るさ（輝度値Ｙ）が、予め設定されている閾値ＹＬ以下かが判定される。輝度値Ｙが閾値ＹＬ以下である場合には、ステップＳ２２において、判定部５１はアイリス１２の開口１２Ａの径Ｄが最大かを判定する。すなわち、アイリス１２の開口１２Ａの径Ｄが最大であるかが判定される。開口１２Ａの径Ｄが最大である場合には、それ以上開口１２の径Ｄを大きくすることはできないため、ステップＳ２３において、演算部５２は、明るさが閾値に近づくように大きいAGCゲインを演算する。すなわち、今の場合、明るさＹが閾値ＹＬ以下であるので、被写体の画像が暗いことになる。しかし、開口１２Ａの径Ｄが既に最大値に達しているため、それ以上径を大きくすることで画像を明るくすることはできないので、AGC用増幅器１６の増幅器１６Ｒ，１６Ｇ，１６Ｂのゲインが、より大きい値になるように演算される。ステップＳ２４において、ゲイン設定部５３はAGCゲインを設定する。すなわち、ステップＳ２３で演算部５２により演算されたAGCゲインを設定するために、増幅器１６Ｒ，１６Ｇ，１６Ｂに同一の制御信号が出力され、AGCゲインが設定される。これにより、色信号レベルを大きくすることで画像が明るくされる。
【００５２】
ステップＳ２２において、アイリスの径Ｄが最大ではないと判定された場合、ステップＳ２５において、演算部５２は明るさが閾値に近づくように大きいアイリスの径Ｄを演算する。すなわち、径Ｄがまだ最大値に達していないので、開口１２Ａの径Ｄをもっと大きくすることで画像を明るくすることが可能である。そこで、開口１２Ａの径Ｄを大きくすることでより明るい画像が得られるように、その径Ｄの値が演算される。ステップＳ２６において、開口径設定部５４は、径Ｄを設定する。すなわち、開口径設定部５４は、アイリス１２の開口１２Ａを演算された径Ｄに設定するための制御信号ｄを、駆動部２１に出力する。駆動部２１は、この制御信号ｄに基づいて、アイリス１２の開口１２Ａの径Ｄを演算された値に設定する。
【００５３】
ステップＳ２１において、明るさが閾値ＹＬ以下ではないと判定された場合、ステップＳ２７において、判定部５１は明るさが閾値ＹＨ以上かを判定する。この閾値ＹＨは、閾値ＹＬより大きい値とされている。ステップＳ２７において、明るさＹが閾値ＹＨ以上であると判定された場合、ステップＳ２８において、判定部５１はアイリスの径Ｄが最小かを判定する。アイリス１２の開口１２Ａの径Ｄがすでに最小値に達している場合には、ステップＳ２９において、演算部５２は明るさが閾値に近づくように小さいAGCゲインを演算する。すなわち今の場合、被写体が明るすぎるのに、それよりさらに開口１２Ａの径Ｄを小さくすることはできないので、より小さいゲインを設定するように、AGCゲインが演算される。ステップＳ２４において、ゲイン設定部５３は、ステップＳ２９で演算されたAGCゲインを設定する処理を実行する。すなわち、これにより増幅器１６Ｒ，１６Ｇ，１６Ｂのゲインが、ステップＳ２９の処理で演算されたAGCゲインに設定されるように、同一の制御信号で制御される。
【００５４】
ステップＳ２８において、アイリスの径Ｄが最小ではないと判定された場合、ステップＳ３０において、演算部５２は明るさが閾値に近づくように、小さいアイリスの径Ｄを演算する。すなわち今の場合、画像が明るすぎるのであるが、アイリス１２の開口１２Ａをさらに小さくすることが可能であるため、被写体の明るさをより制限するように、より小さい径Ｄの値が演算される。ステップＳ２６において、開口径設定部５４は、ステップＳ３０において演算された径Ｄを設定する処理を実行する。すなわち、駆動部２１は、開口径設定部５４より入力された制御信号ｄに基づいて、アイリス１２の開口１２Ａの径Ｄを演算された値に設定する。
【００５５】
以上のようにして、明るさ検出部１９により検出された明るさに基づいて、アイリス１２の開口１２Ａの径ＤとAGC用増幅器１６のゲインが制御される。これにより、被写体の画像が明るすぎたり、暗すぎたりすることが抑制される。
【００５６】
なお、ユーザのマニュアル操作によりアイリスの径Ｄが指定された場合には、その指定された値に基づいて露光量が設定される。
【００５７】
次に、図７のフローチャートを参照して、ホワイトバランス補正量設定部２２が実行する図５のステップＳ４のホワイトバランス補正量設定処理の詳細について説明する。
【００５８】
ステップＳ４１において、判定部７１は、アイリス１２の開口１２Ａの径Ｄが閾値Ｄ１以下かを判定する。アイリス１２の開口１２Ａの径Ｄが、予め設定されている閾値Ｄ１以下である場合（現在の径Ｄを規定する制御信号ｄの値が、閾値ｄ１以下である場合）には、ステップＳ４２において、決定部７２は、Ｇのホワイトバランス調整用増幅器の補正ゲインkg(d) を基準値に決定する。すなわち、決定部７２は、図８の実線の曲線Ｌ２で表される特性の関数を有している。この関数は、同図に示されるように、横軸で表されるアイリス１２の開口１２Ａの径Ｄ（より正確には、径Ｄを一義的に決定する制御信号ｄ）に基づいて、縦軸で表される補正ゲインkg(d) を決定する関数である。この関数は、図中破線の曲線Ｌ１の逆数の近似で表される特性となっている。
【００５９】
曲線Ｌ１は、Ｇ信号に対するＲ信号の比（Ｇ／Ｒ）と開口１２Ａの径Ｄ（制御信号ｄ）との関係を表しており、開口１２Ａの径Ｄが大きい程、比Ｇ／Ｒの値が小さくなる特性を有している。図８に示されるように、このＧ信号とＲ信号の比は、開口１２Ａの径Ｄ１に対応する補正開始点ｄ１から、開口１２Ａの径Ｄ２に対応する補正終了点ｄ２にかけて、径Ｄ（制御信号ｄ）が大きくなるに従って、次第に小さくなる特性を有している。これに対して、径Ｄが０（アイリス１２が完全に閉じられた状態）から補正開始点ｄ１までの区間においては、Ｇ信号とＲ信号のレベルはほぼ同一（Ｇ／Ｒ＝１）である。また、補正終了点ｄ２から最大の径MAX（アイリス１２を完全に解放した状態）の区間においては、Ｇ／Ｒの値は、1.0より小さいほぼ一定の値となる。
【００６０】
従って、曲線Ｌ１に対して逆数の特性の曲線Ｌ２は、径Ｄが０から補正開始点ｄ１までの期間、1.0 となり、また、補正終了点ｄ２から開放点MAXまでの区間、一定の値（補正終了点ｄ２における値kg(d2) の値）となる。これに対して、補正開始点ｄ１から補正終了点ｄ２までの区間は、次第に増加する特性となる。補正開始点ｄ１と補正終了点ｄ２の中間の補正中間点ｄ３（径Ｄ３に対応する）における補正ゲインの値は、kg(d3) とされる。補正中間点の数が多い程、曲線Ｌ２を曲線Ｌ１の逆数に近い特性とすることが可能となるが、図８の例においては補正中間点の数は１個とされている。
【００６１】
この曲線Ｌ２に基づく演算は、リアルタイムで行うようにしてもよいし、ルックアップテーブルを用いて演算（決定）するようにしてもよい。
【００６２】
ステップＳ４２の処理では、径Ｄが閾値Ｄ１以下であるので、補正ゲインkg(d) は1.0 と決定される。
【００６３】
ステップＳ４１において、アイリス１２の開口１２Ａの径Ｄが閾値Ｄ１より大きいと判定された場合、ステップＳ４３において、判定部７１はアイリスの径Ｄが閾値Ｄ２以上かを判定する。径Ｄが、閾値Ｄ２以上である場合（現在の径Ｄを規定する制御信号ｄが閾値ｄ２以上である場合）には、ステップＳ４４において、決定部７２はＧのホワイトバランス調整用増幅器の補正ゲインkg(d) を補正終了点の値に決定する。すなわち、制御信号ｄは図８に示される補正終了点ｄ２以上の値であるから、kg(d) の値として、予め設定されている一定の値kg(d2) が設定される。
【００６４】
ステップＳ４３において、アイリス１２の径Ｄが閾値Ｄ２以上ではないと判定された場合、すなわち、制御信号ｄは補正開始点ｄ１から補正終了点ｄ３の間の値であると判定された場合、ステップＳ４５において、決定部７２は、Ｇをアイリスの径Ｄに依存しない値に補正するためのＧのホワイトバランス調整用増幅器の補正ゲインkg(d) を決定する。すなわち、図８の曲線Ｌ２に基づいて、そのときの制御信号ｄに対応する補正ゲインkg(d) が決定される。
【００６５】
次に、図９のフローチャートを参照して、図５のステップＳ５のホワイトバランスアンプゲイン設定処理の詳細について説明する。
【００６６】
ステップＳ７１において、演算部９１は、決定した補正ゲインkg(d) に基づいて、現在のＧの補正値Ｇ’を演算する。すなわち、次式が演算される。なお、演算部９１は、ホワイトバランスアンプゲイン設定部２３に入力されたＲ，Ｇ，Ｂの信号をそれぞれ一定の画素エリアで加算平均した結果を現在のＲ，Ｇ，Ｂのレベルとして使用する。
【００６７】
Ｇ’＝kg(d) ×Ｇ                      …（２）
【００６８】
式（２）におけるkg(d) は、図７のステップＳ４２，Ｓ４４，Ｓ４５のいずれかにおいて決定された値であり、Ｇは増幅器１６Ｇが出力するＧ信号の値である。
【００６９】
ステップＳ７２において、演算部９１は、ＲとＢの補正値に対する比（補正比）を次式に基づいて演算する。
【００７０】
Ｒratio ＝ Ｒ／Ｇ'                     …（３）
Ｂratio ＝ Ｂ／Ｇ'                     …（４）
【００７１】
ステップＳ７１で演算された補正値Ｇ'が、開口１２Ａの径Ｄに依存しない値に補正されているため、この補正比Ｒratio ，Ｂratio も径Ｄに依存しない値となっている。
【００７２】
次に、ステップＳ７３において、演算部９１は、Ｒratio ，Ｂratio 座標系の光源軌跡上で現在の補正比（Ｒratio ，Ｂratio）に最も近い距離の目標補正比（ＲratioＡ ，ＢratioＡ）を演算する。
【００７３】
すなわち、演算部９１は、図１０に示される曲線Ｌ１１で表される関数を有している。この関数は、横軸のＲratio と縦軸のＢratio の座標系（補正値と３原色のうちの赤の色信号と青の色信号とから一意に算出可能な色空間）において表される関数であり、光源軌跡に対応している。すなわち、被写体からの光は多様な反射光を含むのであるが、撮像シーンに想定される種々の光源下で無彩色の被写体が反射する確率の高いＲratio とＢratio があらかじめ取得され、その特性がアイリスの径Ｄに依らない曲線Ｌ１１として記憶されている。基準座標としての現在の補正比（Ｒratio ，Ｂratio ）が座標系の点Ｐ1で表されるとき、この点Ｐ1に最も近い（距離が最も短い）曲線Ｌ１１上の点ＰAが目標座標として演算により求められる。そして、この点ＰAの座標（ＲratioＡ ，ＢratioＡ）が目標補正比とされる。
【００７４】
ステップＳ７４において、演算部９１は、Ｒ，Ｇ，Ｂのホワイトバランス調整用のゲインを演算する。すなわち、次式が演算される。
【００７５】
Ｒampg ＝ 1.0 ／ ＲratioＡ              …（５）
Ｇampg ＝ kg(d)                         …（６）
Ｂampg ＝ 1.0 ／ ＢratioＡ              …（７）
【００７６】
ＲratioＡ ，ＢratioＡ が、いずれも径Ｄに依存しない値になっているため、演算されたゲインＲampg ，Ｂampg も径Ｄに依存しない値となる。また、これらの赤の色信号と青の色信号に対するそれぞれのゲインＲampg ，Ｂampgは、目標座標としての点ＰAの座標（ＲratioＡ ，ＢratioＡ）から一意に算出可能な値である。
【００７７】
ステップＳ７５において、設定部９２はステップＳ７４で演算されたゲインＲampg ，Ｇampg ，Ｂampg でＲ，Ｇ，Ｂのホワイトバランス調整用のゲインを設定する。すなわち、増幅器１７Ｒ，１７Ｇ，１７Ｂのゲインが、ゲインＲampg ，Ｇampg ，Ｂampg でそれぞれ制御される。これにより、Ｒ信号とＢ信号のレベルは、目標補正比ＲratioＡ，ＢratioＡの逆数に比例するように制御される。Ｇ信号のレベルは、アイリスの径Ｄに依存するレベルからアイリスの径Ｄに依存しないレベルに補正されるように制御される。
【００７８】
ステップＳ７３で補正比Ｒratio,Ｂratioを目標補正比ＲratioＡ,ＢratioＡに変換することで、実際の撮影光源をより精度良く推定した結果でホワイトバランス調整を実現することができる。しかし、ステップＳ７３の処理を省略し、式（５）と式（７）において、目標補正比ＲratioＡ,ＢratioＡに代えて、補正比Ｒratio,Ｂratioをそのまま使用するようにしてもよい。これによっても、実用上ある程度許容されるホワイトバランス調整を実現することができる。
【００７９】
以上のようにして、式（５）と式（７）で表されるゲインＲampg ，Ｂampgで増幅器１７Ｒ，１７Ｂのゲインを制御することで、ホワイトバランス調整を行うことができる。そして、式（６）で表されるゲインＧampgで増幅器１７Ｇのゲインを制御することで、開口１２Ａの径Ｄの値によるホワイトバランス調整への影響を抑制し、正確なホワイトバランス調整を行うことができる。
【００８０】
また、Ｒ信号とＢ信号のレベルを、撮影光源の色の変化に対するホワイトバランスを調整するためだけでなく、開口１２Ａの径Ｄによる影響を抑制するためにも制御するようにすると、それらの信号を増幅するための増幅器１７Ｒ，１７Ｂの使用可能な帯域のうち、撮影光源の調整のために利用することができる割合が少なくなる。その結果、所望のホワイトバランス調整を実現するには、開口１２Ａの径Ｄによる影響の程度によっては、より広帯域の増幅器が必要になるなど、装置がコスト高となる。それを防ぐには、多様な光源に対しても狭い範囲で追従するホワイトバランス調整しかできず、結局、正確なホワイトバランス調整が困難になる。
【００８１】
ホワイトバランスを調整するために、Ｒ信号とＧ信号の比、並びにＢ信号とＧ信号の比を制御する場合、Ｇ信号のレベルを制御するのではなく、Ｒ信号またはＢ信号のレベルを制御することでホワイトバランスを調整することが多い。これの一つの理由は、式（１）に表されるように、３原色の色信号のうち、輝度値Ｙ（明るさ）に与える影響は、その係数が最も大きいところから、Ｇ信号が最も大きいので、Ｇ信号のレベルを制御すると画像の明るさが変化してしまい、特に連続的に記録再生される動画ではその変わり目が不自然に見える場合があるからである。
【００８２】
しかしながら、上記実施形態においては、ホワイトバランス調整用増幅器１７Ｒ，１７Ｇ，１７Ｂの出力から（ホワイトバランスが調整された信号から）明るさ検出部１９により明るさを検出し、その検出結果を露光量設定部２０にフィードバックし、開口１２Ａの径ＤとAGC用増幅器１６のゲインを制御するようにしたので、適正な明るさが維持されるように再び制御される。その結果、ホワイトバランスのＧゲインに対する補正が画像の明るさの変化に与える影響は抑制される。
【００８３】
図１１は、デジタルビデオカメラ１の他の実施形態の構成を表している。このデジタルビデオカメラ１においては、AGCゲイン補正部１１１が設けられている。このAGCゲイン補正部１１１には、露光量設定部２０が出力するAGCゲインが入力されている。また、AGCゲイン補正部１１１には、ホワイトバランス補正量設定部２２が出力する補正ゲインkg(d) が入力されている。AGCゲイン補正部１１１は、露光量設定部２０より入力されたAGCゲインをホワイトバランス補正量設定部２２より入力された補正ゲインkg(d) に基づいて補正し、補正したAGCゲインをAGC用増幅器１６に出力する構成とされている。その他の構成は、図１における場合と同様である。
【００８４】
図１１のデジタルビデオカメラ１の撮像処理の動作を、図１２のフローチャートを参照して説明する。このステップＳ９１乃至ステップＳ１００の処理は、図５のステップＳ１乃至ステップＳ９の処理と基本的に同様である。ただし、図５のステップＳ４のホワイトバランス補正量設定処理に対応する図１２のステップＳ９４のホワイトバランス補正量設定処理と、図５のステップＳ５のホワイトバランスアンプゲイン設定処理に対応する図１２のステップＳ９６のホワイトバランスアンプゲイン設定処理の間に、ステップＳ９５のAGCゲインを補正する処理が挿入されている。その他の処理は、図５における場合と同様である。
【００８５】
すなわち、図１２の撮像処理においては、ステップＳ９３において、露光量設定処理が行われ、露光量設定部２０より増幅器１６Ｒ，１６Ｇ，１６Ｂに同一のAGCゲインを設定するために同一の制御信号がAGCゲイン補正部１１１に供給されるとともに、制御信号ｄがホワイトバランス補正量設定部２２に供給される。そして、ステップＳ９４において、ホワイトバランス補正量設定部２２は、ホワイトバランス補正量設定処理を行い、制御信号ｄから生成した補正ゲインkg(d) をホワイトバランスアンプゲイン設定部２３とAGCゲイン補正部１１１に出力する。ステップＳ９５において、AGCゲイン補正部１１１は、露光量設定部２０より入力されたAGCゲインを補正する。具体的には、次の式（８）が演算される。
【００８６】
Ａagcg ／ kg(d)                         …（８）
【００８７】
なお、式（８）のＡagcg は、露光量設定部２０より出力されたAGCゲインを表す。
【００８８】
AGCゲイン補正部１１１は、補正して得られた値をAGC用増幅器１６に供給し、そのゲインを設定する。
【００８９】
その他の処理は、図５における場合と同様であり、繰り返しになるのでその説明は省略する。
【００９０】
ステップＳ９３，Ｓ９４，Ｓ９６の処理も、上述した場合と同様に、図６、図７および図９に示される場合と同様となる。
【００９１】
なお、この実施形態の場合、明るさ検出部１９による明るさ検出は、ホワイトバランス調整用増幅器１７の出力信号から行うこともできるが、ホワイトバランス調整用増幅器１７Ｇを開口１２Ａの径Ｄに応じて制御することによる明るさの変動は抑えられているため、それより前段（例えば、AGC用増幅器１６の出力信号）から行うことも可能となる。
【００９２】
このように、この実施形態の場合、図１の実施形態と同様の効果を奏することができるほか、後段の増幅器１７Ｇで明るさに影響するＧ信号のレベルを調整する前に、前段のAGC用増幅器１６のゲインを予め補正しておくことで、ホワイトバランスのＧゲインに対する補正が画像の明るさの変化に与える影響を全く発生させないことができる。
【００９３】
なお、撮像部１３に被写体からの光を案内するのにプリズムを用いた場合、アイリス１２の開口１２Ａの径Ｄの増加に伴い、緑の色信号の成分が増加する特性になることがある。この場合には、図８の曲線Ｌ１が径Ｄの増加に伴って増大するので、曲線Ｌ２（補正ゲインｋｇ（ｄ））は、径Ｄの増加に伴って減少する関数とされる。従って、この場合には、アイリスの径が大きくなるに従って、３原色の色信号のうち緑の色信号のレベルを減少させる補正ゲインが演算され、この補正ゲインに基づいて、上述した場合と同様の処理が行われる。
【００９４】
以上においては、本発明をデジタルビデオカメラに適用した場合を例として説明したが、本発明は、デジタルスチルカメラ、その他の撮像装置に適用することが可能である。
【００９５】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００９６】
この記録媒体は、図１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア３１により構成されるだけでなく、装置本体に予め組み込まれた状態でユーザに提供される、プログラムが記録されているROMやハードディスクなどで構成される。
【００９７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００９８】
また、本明細書において、システムとは、複数の装置（または特定の機能を実現する機能モジュール）が論理的に集合した物を意味し、各装置や機能モジュールが単一の筐体内にあるか否かは問わない。
【００９９】
なお、本発明の実施の形態は、上述した実施の形態に限定されるものではなく、本発明の要旨を逸脱しない範囲において種々の変更が可能である。
【図面の簡単な説明】
【０１００】
【図１】本発明を適用したデジタルビデオカメラの構成を示すブロック図である。
【図２】露光量設定部の機能的構成を示すブロック図である。
【図３】ホワイトバランス補正量設定部の機能的構成を示すブロック図である。
【図４】ホワイトバランスアンプゲイン設定部の機能的構成を示すブロック図である。
【図５】撮像処理を説明するフローチャートである。
【図６】露光量設定処理を説明するフローチャートである。
【図７】ホワイトバランス補正量設定処理を説明するフローチャートである。
【図８】補正ゲインの特性を説明する図である。
【図９】ホワイトバランスアンプゲイン設定処理を説明するフローチャートである。
【図１０】光源軌跡の特性を示す図である。
【図１１】本発明を適用した他のデジタルビデオカメラの構成を示すブロック図である。
【図１２】他の撮像処理を説明するフローチャートである。
【符号の説明】
【０１０１】
１  デジタルビデオカメラ，  １１  レンズ，  １２  アイリス，  １３  撮像部，  １４  サンプルホールド部，  １５  Ａ／Ｄコンバータ，  １６  AGC用増幅器，  １７  ホワイトバランス調整用増幅器，  １８  記録部，  １９  明るさ検出部，  ２０  露光量設定部，  ２１  駆動部，  ２２  ホワイトバランス補正量設定部，  ２３  ホワイトバランスアンプゲイン設定部
【図１】
2006319913.tif 000003
【図２】
2006319913.tif 000004
【図３】
2006319913.tif 000005
【図４】
2006319913.tif 000006
【図５】
2006319913.tif 000007
【図６】
2006319913.tif 000008
【図７】
2006319913.tif 000009
【図８】
2006319913.tif 000010
【図９】
2006319913.tif 000011
【図１０】
2006319913.tif 000012
【図１１】
2006319913.tif 000013
【図１２】
2006319913.tif 000014